(57)【要約】【課題】テーパー状の貫通孔と同程度の最小横曲り半径を備えながら、耐久性を高めることができる搬送用チェーンを提供する。【解決手段】搬送物を載置するトップ板１１を設ける。該トップ板１１の後端部に後方カ−ル部１３を突設する。後方カ−ル部１３を両側から挟みこむように一対の前方カ−ル部１２を突設する。前方カ−ル部１２に、断面Ｄ字形状を成した連結ピン２０を装着する。該連結ピン２０を後方カ−ル部１３の貫通孔１４に挿通してトップ板１１相互を連結する。後方カ−ル部１３の貫通孔１４の断面形状を、連結ピン２０を挿通せしめる側面Ｄ字形状に開穿する。該貫通孔１４の平坦な長手側面をトップ板１１側に向けて垂直側面１４Ａを形成する。該垂直側面１４Ａの長手中央から貫通孔１４の両端部にかけて垂直側面１４Ａが斜めに広がるように形成する。【選択図】  図２
2014028671.tif 000002
【特許請求の範囲】
【請求項１】
搬送物を載置するトップ板と、該トップ板の一端部に突設された後方カ−ル部と、トップ板の他端部に設けられ隣接する他のトップ板の後方カ−ル部を両側から挟みこむように突設された一対の前方カ−ル部と、該前方カ−ル部に装着した断面Ｄ字形状を成した連結ピンと、を備え、前方カ−ル部に装着する連結ピンを後方カ−ル部に形成した貫通孔に挿通してトップ板相互を連結するように構成された搬送用チェーンにおいて、後方カ−ル部の貫通孔の断面形状を、連結ピンを挿通せしめる側面Ｄ字形状に開穿し、該貫通孔の平坦な長手側面を移動方向に向けて垂直側面を形成すると共に、該垂直側面の長手中央から貫通孔の両端部にかけて垂直側面が斜めに広がるように形成したことを特長とする搬送用チェーン。
【請求項２】
前記貫通孔において、前記垂直側面の反対側の側面に前記連結ピンの曲面側の側面全体に沿って当接せしめる半円側面を形成した請求項１記載の搬送用チェーン。
【請求項３】
前記連結ピンは、前記トップ板が直進する際に、前記連結ピンの曲面側の側面が前記半円側面に沿って当接し、前記トップ板が横方向へ屈曲する際に、前記連結ピンの一端が屈曲方向へ移動して平坦な側面が前記垂直側面に重なるように構成された請求項１又は２記載の搬送用チェーン。
【発明の詳細な説明】
【技術分野】
【０００１】
本発明は搬送用チェーンに関し、特に横方向に屈曲可能な搬送用チェーンの耐久性を向上させることができる搬送用チェーンに関するものである。
【背景技術】
【０００２】
当出願人は、先に特許文献１のスラットバンドチェーン及びスプロケットを提案している。この特許文献１は、スラットバンドチェーンと称する搬送用チェーンとこの搬送用チェーンに噛合するスプロケットを、直線用と曲線用を兼ねた構成にすることで、１タイプの構成で直線及び曲線に兼用できるようにしたものである。
【０００３】
一方、横方向に屈曲可能な搬送用チェーンが特許文献２、３に記載されている。これらの搬送用チェーンでは、後方カール部に設けた貫通孔１１０の両端部を中央から広がったテーパー状に形成することで、貫通孔に挿通するピンの横方向への自由度を広げた構成を成している（図５参照）。そして、横方向に屈曲可能な搬送用チェーン１００では、このテーパー状の貫通孔１１０が現在に至るまで多く採用されており、一般的な構成として知られている。
【先行技術文献】
【特許文献】
【０００４】
【特許文献１】特開平７‐２６７３２２号公報
【特許文献２】特許第３２６２８５２号公報
【特許文献３】特開昭４９‐８７０８１号公報
【発明の概要】
【発明が解決しようとする課題】
【０００５】
特許文献１の発明により、搬送用チェーン及びスプロケットは、直線用と曲線用を兼ねた１タイプのもので良いものになったが、この搬送用チェーンにおいて横方向に屈曲可能になる最小横曲り半径は、８００Ｒ程度にならざるを得ず、回転半径の大きい曲線用として兼用することは可能でも、回転半径の小さい曲線用として使用することは困難であった。
【０００６】
一方、特許文献２，３に記載の搬送用チェーンのように、テーパー状の貫通孔１１０を使用したものでは、最小横曲り半径が２８０Ｒ程度にすることが可能になることから、特に、小回り用の搬送用チェーン１００に適したものになっている。
【０００７】
ところが、テーパー状の貫通孔１１０を使用した搬送用チェーン１００は、直線用の搬送用チェーンと比べて耐久性が劣ることが知られていた。すなわち、搬送用チェーンが直線状に移動する場合は、テーパー状の貫通孔１１０の中央部のみがピンに接触した状態になる。このため、摩耗が中央部に集中して損傷が早くなり、搬送用チェーンの寿命が短くなるというものである。
【０００８】
搬送用チェーンの寿命を延ばすには、例えば、テーパー状の貫通孔１１０に替えて側面長孔状の貫通孔を使用し、貫通孔の側面全体がピンに接触するように形成すると、直線状に移動する場合でも摩耗が集中することがなくなり、耐久性能を向上させることが可能になる。ところが、テーパー状の貫通孔１１０と同様の最小横曲り半径を実現するには、貫通孔の最大直径を前後に大きく広げる必要がある。そうすると、貫通孔を形成する後方カール部の前後の長さが延長され、搬送用チェーン相互の連結間隔が広がって搬送時にガタつくなどが発生することになる。
【０００９】
また、後方カール部の前後の長さを変えずに貫通孔の最大直径を前後に広げた場合は、後方カール部の端部から貫通孔までの厚みが極端に薄くなり、テーパー状の貫通孔１１０を使用した場合より耐久性能が極端に劣ることになる。あるいは、最悪の場合、後方カール部に貫通孔を形成できなくなる可能性もあった。このような様々な状況から現在の常識では、後方カール部にテーパー状の貫通孔１１０を使用した搬送用チェーンが現状では最善のものであるとして多く採用されている。
【００１０】
そこで本発明はこれまでの常識を覆すべく創出されたもので、テーパー状の貫通孔と同程度の最小横曲り半径を備えながら、直線用の搬送用チェーンと同程度の高い耐久性を備える搬送用チェーンの提供を目的とするものである。
【課題を解決するための手段】
【００１１】
上述の目的を達成すべく本発明における第１の手段は、搬送物を載置するトップ板１１と、該トップ板１１の一端部に突設された後方カ−ル部１３と、トップ板１１の他端部に設けられ隣接する他のトップ板１１の後方カ−ル部１３を両側から挟みこむように突設された一対の前方カ−ル部１２と、該前方カ−ル部１２に装着した断面Ｄ字形状を成した連結ピン２０と、を備え、前方カ−ル部１２に装着する連結ピン２０を後方カ−ル部１３に形成した貫通孔１４に挿通してトップ板１１相互を連結するように構成された搬送用チェーン１０において、
後方カ−ル部１３の貫通孔１４の断面形状を、連結ピン２０を挿通せしめる側面Ｄ字形状に開穿し、該貫通孔１４の平坦な長手側面を移動方向に向けて垂直側面１４Ａを形成すると共に、該垂直側面１４Ａの長手中央から貫通孔１４の両端部にかけて垂直側面１４Ａが斜めに広がるように形成したことにある。
【００１２】
第２の手段は、前記貫通孔１４において、前記垂直側面１４Ａの反対側の側面に前記連結ピン２０の曲面側の側面全体に沿って当接せしめる半円側面１４Ｂを形成したものである。
【００１３】
第３の手段において、前記連結ピン２０は、前記トップ板１１が直進する際に、前記連結ピン２０の曲面側の側面が前記半円側面１４Ｂに沿って当接し、前記トップ板１１が横方向へ屈曲する際に、前記連結ピン２０の一端が屈曲方向へ移動して平坦な側面が前記垂直側面１４Ａに重なるように構成されたことにある。
【発明の効果】
【００１４】
本発明の請求項１によると、後方カ−ル部１３の貫通孔１４の断面形状を、連結ピン２０を挿通せしめる側面Ｄ字形状に開穿し、該貫通孔１４の平坦な長手側面を移動方向に向けて垂直側面１４Ａを形成すると共に、該垂直側面１４Ａの長手中央から貫通孔１４の両端部にかけて垂直側面１４Ａが斜めに広がるように形成したことで、従来のテーパー状の貫通孔と同程度の最小横曲り半径を備えながら、耐久性を高めることに成功した。
【００１５】
請求項２のごとく、貫通孔１４において、垂直側面１４Ａの反対側の側面に連結ピン２０の曲面側の側面全体に沿って当接せしめる半円側面１４Ｂを形成しているので、トップ板が直線状に移動する場合は、半円側面１４Ｂが連結ピン２０の長手側面全体に当接する。この結果、テーパー状の貫通孔を使用した従来の搬送用チェーンのごとく、貫通孔の中央部のみがピンに接触し、摩耗が集中して損傷が早くなり、搬送用チェーンの寿命が短くなるといった不都合は解消した。
【００１６】
請求項３のように、連結ピン２０は、トップ板１１が直進する際に、連結ピン２０の曲面側の側面が半円側面１４Ｂに沿って当接し、トップ板１１が横方向へ屈曲する際に、連結ピン２０の一端が屈曲方向へ移動して平坦な側面が垂直側面１４Ａに重なるように構成したことで、従来のテーパー状の貫通孔と同程度の最小横曲り半径を備え、且つ、従来のテーパー状の貫通孔を使用した搬送用チェーン以上に耐久性を高めることができるものである。
【図面の簡単な説明】
【００１７】
【図１】本発明の搬送用チェーンの一部を例示する概略平面図である。
【図２】本発明の後方カ−ル部の貫通孔を示す要部平断面図である。
【図３】本発明の前方カ−ル部の貫通孔と後方カ−ル部の貫通孔を示す側面図である。
【図４】本発明の貫通孔と連結ピンとの関係を示し、（イ）は側断面図、（ロ）は平断面図である。
【図５】従来のテーパー状の貫通孔を使用した搬送用チェーンを示す要部平面図である。
【発明を実施するための形態】
【００１８】
本発明によると、テーパー状の貫通孔と同程度の最小横曲り半径を備えながら、直線用の搬送用チェーンと同程度の高い耐久性を備える搬送用チェーンを提供するといった当初の目的を達成した。
【００１９】
以下、本発明の実施例を説明する。本発明は、複数個のトップ板１１を連結ピン２０で連結したプラスチック製の搬送用チェーン１０に関するものである。
【００２０】
トップ板１１は、搬送物を載置する板状の部材で、このトップ板１１の前後に前方カ−ル部１２と後方カ−ル部１３が設けられている。そして、隣接するトップ板１１の前方カ−ル部１２が後方カ−ル部１３の両側面を挟んだ状態で連結ピン２０が貫通することでトップ板１１相互が連結されている（図１参照）。
【００２１】
前方カ−ル部１２は、トップ板１１の先端部に一対並列に設けられており、隣接する他のトップ板１１の後方カ−ル部１３を両側から挟みこむように突設された部材である（図２参照）。図示例では、各前方カ−ル部１２の側面に側面D字形状の貫通孔１２Ａを開穿し、この貫通孔１２Ａに断面Ｄ字形状を成した連結ピン２０を貫通させることで連結ピン２０が回転しないように固定するものである（図３参照）。
【００２２】
後方カ−ル部１３は、トップ板１１の後端部の長手中央に突設されている（図２参照）。そして、断面Ｄ字形状を成した連結ピン２０を貫通させる断面形状Ｄ字形状の貫通孔１４を開穿している（図３参照）。この貫通孔１４は、垂直側面１４Ａと半円側面１４Ｂとを備えたものである（図２参照）。
【００２３】
垂直側面１４Ａは、貫通孔１４の平坦な長手側面で形成されている。そして、この垂直側面１４Ａを搬送用チェーン１０の進行方向に向けている（図３参照）。更に垂直側面１４Ａの長手中央から貫通孔１４の両端部にかけて垂直側面１４Ａが斜めに広がるように形成している（図２参照）。
【００２４】
すなわち、垂直側面１４Ａを平面で見ると、長手中央から略への字形状に屈曲した状態になっており、その分、貫通孔１４の両端部は長手中央部よりも内部が広がった状態になる。そして、トップ板１１が横方向へ屈曲する際に、前記連結ピン２０の一端が屈曲方向へ移動して平坦な側面が前記垂直側面１４Ａに重なるように構成している（図４参照）。図示例の貫通孔１４は、連結ピン２０を挿通した状態では垂直側面１４Ａとの間に間隙がある（図３参照）。この間隙は最小横曲り半径を小さくするほど広くなるので、後方カ−ル部１３のサイズに適した設計変更が可能になる。
【００２５】
半円側面１４Ｂは、連結ピン２０の曲面側の側面全体に沿って当接せしめる側面で、断面略Ｃ字形状を成している（図３参照）。この半円側面１４Ｂは、後方カ−ル部１３の突出側の側面に配置しており、トップ板１１が直線移動する際に、連結ピン２０の曲面側の側面が前記半円側面１４Ｂの側面全体に沿って当接するものである（図２参照）。
【００２６】
本発明の構成により、トップ板１１が直進する際に、連結ピン２０の曲面側の側面が半円側面１４Ｂに沿って当接することになる。また、トップ板１１が横方向へ屈曲する際に、連結ピン２０の一端が移動して連結ピン２０の平坦な側面が垂直側面１４Ａに重なることで、搬送用チェーン１０の最小横曲り半径を確保するものである。
【００２７】
尚、本発明搬送用チェーンの各部の構成、例えばトップ板１１や前方カ−ル部１２、後方カ−ル部１３等の形状、寸法、材質等は、実施例のものに限定されることなく、本発明の要旨を変更しない範囲で適宜自由に設計、変更できるものである。
【符号の説明】
【００２８】
Ｒ  最小横曲り半径
１０  搬送用チェーン
１１  トップ板
１２  前方カ−ル部
１２Ａ  貫通孔
１３  後方カ−ル部
１４  貫通孔
１４Ａ  垂直側面
１４Ｂ  半円側面
２０  連結ピン
１００  搬送用チェーン
１１０  貫通孔
【図１】
2014028671.tif 000003
【図２】
2014028671.tif 000004
【図３】
2014028671.tif 000005
【図４】
2014028671.tif 000006
【図５】
2014028671.tif 000007